(57)【特許請求の範囲】
【請求項１】
中心周波数ｆ０のバンドパスフィルタの低域側のｆ０近傍の周波数をｆＬ、高域側のｆ０近傍の周波数をｆＨとするとき、ｆＬを中心周波数とする第１バンドパスフィルタ回路（１）と、ｆ０を中心周波数とする第２バンドパスフィルタ回路（２）と、ｆＨを中心周波数とする第３バンドパスフィルタ回路（３）と、前記第１および第３バンドパスフィルタ回路（１）（３）の出力の位相を調整する第１および第３位相調整回路（４）（５）と、前記第１および第３バンドパスフィルタ回路（１）（３）の出力レベルを調整する第１および第３出力レベル調整回路（６）（７）とから成り、前記第２バンドパスフィルタ回路（２）の出力からそれぞれ位相と出力レベルの調整された前記第１および第３バンドパスフィルタ回路（１）（３）の出力を減算（又は加算）することによって、周波数ｆＬおよびｆＨで挟まれた内側の出力レベルは大きく、周波数ｆＬおよびｆＨ近傍の減衰特性が急峻になる特性の出力を得ることを特徴とするフートエリミネートフィルタ回路。
【発明の詳細な説明】
【０００１】
【産業上の利用分野】
本発明は、任意の範囲の周波数帯域の振幅と位相の平坦特性を得る回路を構成するときに有効なフートエリミネートフィルタ回路に関するものである。
【０００２】
【従来の技術】
広い範囲の周波数成分からある帯域の周波数成分のみ通過させ、それ以外の周波数成分の通過を阻止するフィルタとしてバンドパスフィルタやローパスフィルタとハイパスフィルタを直列に接続して一定の通過帯域をつくり出すフィルタなどがある。また比較的狭い範囲の周波数成分だけを通過させることのできるバンドパスフィルタを多数用いて広い周波数帯域を細かに分割し、それぞれのバンドパスフィルタの通過域の振幅の大きさを調整することで広い周波数帯域をきめ細かにコントロールするグラフィックイコライザがある。
【０００３】
また、細かに分割された通過域をコントロールするバンドパスフィルタに振幅調整回路と位相調整回路を付加し、広い周波数帯域をカバーする多数のバンドパスフィルタを２組のフィルタ群に振り分けて、それぞれのフィルタ群に振幅波状特性と位相波状特性を与え、２組のフィルタ群が互いに補完関係を有する構成とすることによって、広い周波数帯域の振幅と位相の調整を可能とする振幅・位相調整回路（特開平８−２３７０５６）などがある。
【０００４】
【発明が解決しようとする課題】
上述のフィルタ回路を用いて任意の周波数帯域を精密にコントロールしようとする場合、遮断特性の鋭いフィルタが必要となる。一般に、フィルタの遮断特性は次数を大きくすればするほど、あるいはＱを大きくとればとるほど急峻にすることができるが、一方では、信号通過帯域が狭くなったり、立ち上がり立ち下がりなどの過渡応答速度の遅れが生じたりするほか、回路を構成する素子のわずかな誤差で中心周波数がずれてしまうなどの問題が発生するため、部品の選定や設計が難しくなる。
【０００５】
また、バンドパスフィルタに低い周波数から高い周波数までの信号をスイープして加えたときの出力特性は、それぞれのフィルタの中心周波数で出力は最大となり、中心周波数から低域側あるいは高域側へ遠ざかるにしたがって漸次小さくなるという共振器特有の減衰曲線を示し、位相特性は中心周波数から遠ざかるにしたがって低域側では漸次進み、高域側では漸次遅れる。このような特性を有する多数のフィルタが並列に重ね合わされた回路によって構成されるフィルタの場合、隣り合うフィルタとフィルタ、またフィルタとフィルタの間隔が離れている場合であっても各フィルタの共振特性を示す山形の波形のすそ部分が互いにオーバラップして影響を及ぼし合うことになり、任意の周波数の信号が入力されたときの出力は、入力された周波数に対するすべてのフィルタの出力が加算された総和として出力される。したがって、多数のバンドパスフィルタによって構成されるフィルタ回路の出力特性は、振幅特性についてだけでなく位相特性のファクタまで含めると極めて煩雑なものとなるため、広い周波数帯域にわたって振幅と位相の正しく調整された出力信号をつくり出すということは至難のわざとなる。
【０００６】
本発明が解決しようとする課題は、上述の問題点に鑑み、通過帯域を狭めずに減衰特性を急峻にすることのできるフートエリミネートフィルタ回路を得るとともに、多数のバンドパスフィルタを用いた場合であっても広い周波数帯域にわたって振幅と位相の平坦特性を得ることのできるフートエリミネートフィルタ回路を得ることを目的とするものである。
【０００７】
〔課題を解決するための手段〕
本発明によるフートエリミネートフィルタ回路は、前記の課題を解決したものであって、次のようなものである。すなわち、中心周波数ｆ０のバンドパスフィルタの低域側のｆ０近傍の周波数をｆＬ、高域側のｆ０近傍の周波数をｆＨとするとき、ｆＬを中心周波数とする第１バンドパスフィルタ回路と、ｆ０を中心周波数とする第２バンドパスフィルタ回路と、ｆＨを中心周波数とする第３バンドパスフィルタ回路と、前記第１および第３バンドパスフィルタ回路の出力の位相を調整する第１および第３位相調整回路と、前記第１および第３バンドパスフィルタ回路の出力レベルを調整する第１および第３出力レベル調整回路とから成り、前記第２バンドパスフィルタ回路の出力からそれぞれ位相と出力レベルの調整された前記第１および第３バンドパスフィルタ回路の出力を減算または加算することによって、通過帯域を狭めずにフィルタの減衰特性を急峻にする特性のフートエリミネートフィルタ回路を得る。
【０００８】
また、バンドパスフィルタの中心周波数を低い周波数側から順にｆ１，ｆ２，ｆ３，・・・，ｆ２ｎとするフィルタ群によって任意の周波数帯域の振幅と位相の平坦特性を得る振幅・位相調整回路において、奇数を添え字とする中心周波数ｆ１，ｆ３，ｆ５，・・・，ｆ２ｎ−１の第１フィルタ群と、偶数を添え字とする中心周波数ｆ２，ｆ４，ｆ６，・・・，ｆ２ｎの第２フィルタ群とに分割し、それぞれ隣り合わせとなる各バンドパスフィルタ回路ｆｎ，ｆｎ＋２，ｆｎ＋４間の関係を上記の第１、第２、第３バンドパスフィルタ回路にそれぞれ対応させることによって、それぞれのバンドパスフィルタが分担する帯域内で、あるいは分割されたグループ内で独立性の高い調整機能を与えるとともに、第１フィルタ群と第２フィルタ群の加算出力特性の劣化を防止する。
【０００９】
【作用】
中心周波数ｆＬとする第１バンドパスフィルタのｆＬおよび中心周波数ｆＨとする第３バンドパスフィルタのｆＨにおける振幅と位相の出力特性を、中心周波数ｆＯの第２バンドパスフィルタのｆＬおよびｆＨにおける振幅特性および位相特性に合わせて、第２バンドパスフィルタの出力から差し引くと、ｆＬおよびｆＨの位置での第２バンドパスフィルタの出力をキャンセルすることができるため、第１、第２、第３バンドパスフィルタによって構成されるフートエリミネートフィルタ回路は、ｆＬおよびｆＨ近傍での減衰特性を急峻とすることができる。
【００１０】
ここで、中心周波数ｆ１，ｆ３，ｆ５，・・・，ｆ２ｎ−１の第１フィルタ群、あるいは中心周波数ｆ２，ｆ４，ｆ６，・・・，ｆ２ｎの第２フィルタ群の各フィルタの隣り合わせとなるフィルタの中心周波数ｆｎ，ｆｎ＋２，ｆｎ＋４を、それぞれ中心周波数ｆＬ，ｆＯ，ｆＨの第１、第２、第３バンドパスフィルタとする関係に置き換えると、各バンドパスフィルタはそれぞれ隣り合うフィルタからの影響をほとんど受けることのない関係となる。
また、中心周波数ｆｎのバンドパスフィルタと中心周波数ｆｎ＋２のバンドパスフィルタとが並列に重ね合わされたときの出力については、ｆｎとｆｎ＋２との中間の交点をｆｃとし、前者と後者のｆｃにおける出力レベルが等しいとして、前者のｆｃにおける位相は９０°遅れ、後者のｆｃにおける位相は９０°進むことから、前者と後者の位相差は１８０°となって逆相関係で加算されたことになるため、前者と後者の交点ｆｃでの出力は０となる。
したがって、補完関係を有する第１フィルタ群と第２フィルタ群が加え合わされるときの各部の関係は、第１フィルタ群の中心周波数ｆｎのバンドパスフィルタと中心周波数ｆｎ＋２のバンドパスフィルタとの交点ｆｃに第２フィルタ群の中心周波数ｆｎ＋１のバンドパスフィルタが挿入されたときと同じ関係となるため、第１フィルタ群と第２フィルタ群を加算するときのフィルタ間の相互干渉によって生ずる誤差が大きく加わることのない出力が得られる。
【００１１】
【実施例】
実施例１
本発明のフートエリミネートフィルタ回路を図１、図３、図４によって説明する。図１は、本発明によるフートエリミネートフィルタ回路のブロック図であり、
図３（Ａ）は、第１、第２、第３バンドパスフィルタの動作を示す出力波形図、図３（Ｂ）は、第１、第２、第３バンドパスフィルタの動作を示す位相特性図、図３（Ｃ）は、本発明のフートエリミネートフィルタ回路の出力特性を示す図、図３（Ｄ）は、本発明のフートエリミネートフィルタ回路の位相特性を示す図、図４（Ａ）は、ハイパスフィルタを示す回路図、図４（Ｂ）は、ハイパスフィルタの位相特性を示す図、図４（Ｃ）は、ローパスフィルタを示す回路図、図４（Ｄ）は、ローパスフィルタの位相特性を示す図である。
図１において、１は、第１バンドパスフィルタ回路、２は、第２バンドパスフィルタ回路、３は、第３バンドパスフィルタ回路、４および５は、第１バンドパスフィルタ回路１および第３バンドパスフィルタ回路３の出力の位相を調整する第１および第３位相調整回路、６および７は、第１バンドパスフィルタ回路１および第３バンドパスフィルタ回路３の出力レベルを調整する第１および第３出力レベル調整回路であり、第１位相調整回路４と第１出力レベル調整回路６を囲む点線の部分８は、第１位相・出力レベル等化回路を構成し、第３位相調整回路５と第３出力レベル調整回路７を囲む点線の部分９は、第３位相・出力レベル等化回路を構成する。１０は第２加算回路、１１は第２減算回路、１２は入力端子、１３は出力端子であり、４〜１０の点線１４で囲まれた部分は、第２補正信号発生回路を構成する。以下、図１の動作について説明する。
【００１２】
第２バンドパスフィルタ回路２の中心周波数はｆ０であり、第１バンドパスフィルタ回路１の中心周波数ｆＬはｆ０より低域側のｆ０近傍の周波数、第３バンドパスフィルタ回路３の中心周波数ｆＨはｆ０より高域側のｆ０近傍の周波数であり、第１、第２，第３バンドパスフィルタ回路１、２，３は、入力端子１２に接続されている。第１および第３バンドパスフィルタ回路１および３の出力は、それぞれ第１および第３位相調整回路４および５に接続され、第１および第３位相調整回路４および５の出力は、それぞれ第１および第３レベル調整回路６および７に接続されている。第１位相調整回路４と第１レベル調整回路６で構成される第１位相・出力レベル等化回路８の出力、および第３位相調整回路５と第３レベル調整回路７で構成される第３位相・出力レベル等化回路９の出力は、第２加算回路１０で加算され、第２加算回路１０の出力は第２補正信号発生回路１４の出力となる。第２バンドパスフィルタ回路２の出力から第２補正信号発生回路１４の出力が第２減算回路１１で減算されて、出力端子１３から出力される。
【００１３】
本発明によるフートエリミネートフィルタ回路は、信号入力端子１２へ入力される広い周波数範囲の信号から、第２バンドパスフィルタ回路２の中心周波数ｆＯ近傍の出力特性が放物線の山形のすそ部分が削りとられた形状の変化特性を有し、周波数ｆＬおよびｆＨ近傍で減衰特性が急峻になる特性の出力を得ようとするものである（図３（Ｃ））。ｆＬおよびｆＨを中心周波数とする第１バンドパスフィルタ回路１および第３バンドパスフィルタ回路３のｆＬおよびｆＨにおける出力の位相と振幅の特性を、第１位相・出力レベル等化回路８、および第３位相・出力レベル等化回路９を用いて第２バンドパスフィルタ回路２のｆＬおよびｆＨにおける出力と同じ位相と振幅に合わせ、それぞれ第２加算回路１０で加算し第２補正信号発生回路１４の出力として、第２バンドパスフィルタ回路２の出力から差し引き、ｆＬおよびｆＨの位置での第２バンドパスフィルタ回路２の出力をキャンセルすることによってｆＬおよびｆＨ近傍で減衰特性の急峻なフートエリミネートフィルタ回路の出力を得るものである。
【００１４】
第１および第３バンドパスフィルタ回路１および３はそれぞれ中心周波数ｆＬおよびｆＨが最大の増幅度であり、ｆＬおよびｆＨから遠ざかるにしたがって、増幅度は漸次減少し位相も漸次変化していくため（図３（Ａ）（Ｂ））、第２バンドパスフィルタ回路２の出力から第２補正信号発生回路１４の出力を差し引いたときの第２バンドパスフィルタ回路２の出力は、ｆＬおよびｆＨ近傍以外の帯域では、第１および第３バンドパスフィルタ回路１および３の差し引きによってほとんど影響されない出力を得ることができる。  このように、第１バンドパスフィルタ回路１と第３バンドパスフィルタ回路３の中心周波数ｆＬおよびｆＨで挟まれた内側の周波数帯域では出力レベルは十分大きく、ｆＬおよびｆＨ近傍ではほとんど出力がなく、外側では十分小さな出力信号が得られるようになるため、個々のバンドパスフィルタの振幅や位相を調整するときに、他のフィルタが受け持つ帯域へまで大きな影響を及ぼすことのないような通過域と非通過域との境のはっきりした出力の差の大きなフートエリミネートフィルタ回路を得ることができる。
【００１５】
第１バンドパスフィルタ回路１および第３バンドパスフィルタ回路３の出力の位相を調整する第１および第３位相調整回路４および５を、それぞれＣＲによるハイパスフィルタ回路（図４（Ａ））およびローパスフィルタ回路（図４（Ｃ））とすることによって、第１バンドパスフィルタ回路１および第３バンドパスフィルタ回路３のｆＬおよびｆＨにおける出力の進相特性（図４（Ｂ））および遅相特性（図４（Ｄ））を得ることもできるため、第１および第３の位相・出力レベル等化回路８および９の回路構成を簡素化することができる。
【００１６】
位相特性について、第１、第２、第３バンドパスフィルタ回路１、２、３によって構成されるすフィルタ回路の信号の通過帯域ｆＬ〜ｆＯ〜ｆＨ間の入力信号に対する出力の位相特性は、ｆＬで最大１８０°進み、ｆＯで入出力は同相となり、ｆＨで最大１８０°遅れるが、各部の定数を適宜に決定することによってｆＬ〜ｆＯ〜ｆＨ間の位相の変化がほぼ一定の直線状の傾斜にすることができる（図３（Ｄ））。
【００１７】
実施例２
本発明による実施例２を、図２、図５、図６に基づいて説明する。図２は振幅波状特性と位相波状特性が与えられた２組のフィルタ群から成る振幅・位相調整装置のブロック図、図５（Ａ）は、第１フィルタ群の出力の波形図、図５（Ｂ）は、第１フィルタ群の位相の波形図、図５（Ｃ）は、第２フィルタ群の出力の波形図、図５（Ｄ）は、第２フィルタ群の位相の波形図であり、図６（Ａ）は、第１・第２フィルタ群加算回路の出力波形図、図６（Ｂ）は、第１・第２フィルタ群加算回路の位相特性図である。図１と共通の部分は同一符号を付してある。
図２において、（ｆ１，ｆ２，ｆ３，・・・，ｆ８）は、第（１，２，３，…，８）バンドパスフィルタ回路、１１（ｆ１〜ｆ８）は、第（１〜８）減算回路、１４（ｆ１〜ｆ８）は、第（１〜８）補正信号発生回路、１５（ｆ１〜ｆ８）は、第（１〜８）振幅・位相調整回路、１６および１７は、第１および第２フィルタ群加算回路、１８は第１・第２フィルタ群加算回路、１９は出力端子であり、点線で囲まれた部分２０、２１は、第１、第２フィルタ群である。以下、図２の動作について説明する。
【００１８】
第（１，３，５，７）バンドパスフィルタ回路（ｆ１，ｆ３，ｆ５，ｆ７）、および、第（２，４，６，８）バンドパスフィルタ回路（ｆ２，ｆ４，ｆ６，ｆ８）は、それぞれ入力端子１２に接続されている。第（１，３，５，７）バンドパスフィルタ回路（ｆ１，ｆ３，ｆ５，ｆ７）の出力は、それぞれ対応する第（１，３，５，７）補正信号発生回路１４（ｆ１，ｆ３，ｆ５，ｆ７）、および、第（１，３，５，７）減算回路１１（ｆ１，ｆ３，ｆ５，ｆ７）に接続され、第（１，３，５，７）減算回路１１（ｆ１，ｆ３，ｆ５，ｆ７）の出力は、それぞれ対応する振幅・位相調整回路１５（ｆ１，ｆ３，ｆ５，ｆ７）を介して、第１フィルタ群加算回路１６に接続され、第１フィルタ群２０を構成する。第２フィルタ群２１は、第１フィルタ群２０と同様な回路構成である。
第１フィルタ群加算回路１６および第２フィルタ群加算回路１７の出力は、第１・第２フィルタ群加算回路１８で加算され、第１・第２フィルタ群加算回路１８の出力は、出力端子１９より出力される。
【００１９】
任意の周波数帯域をそれぞれ分担する通過域ごとに分割する第（１〜８）バンドパスフィルタ回路（ｆ１〜ｆ８）を、中心周波数の低い周波数側から順番に交互に２組に振り分け、第１フィルタ群２０と第２フィルタ群２１とにする。
ここで、第１フィルタ群２０から第（１，３，５）バンドパスフィルタ回路（ｆ１，ｆ３，ｆ５）を取り出し、実施例１で説明したフートエリミネートフィルタ回路を構成する第（１，２，３）バンドパスフィルタ回路（１，２，３）に置き換えると、中心周波数ｆ１，ｆ３，ｆ５をそれぞれｆＬ，ｆＯ，ｆＨとする関係で取り扱うことができる。したがって、第（１，３，５）バンドパスフィルタ回路（ｆ１，ｆ３，ｆ５）による第３バンドパスフィルタ回路ｆ３の第３減算回路１１（ｆ３）からの出力は、中心周波数をｆ３とする図３（Ｃ）で示した波形となる。
第１フィルタ群２０の第（３，５，７）バンドパスフィルタ回路（ｆ３，ｆ５，ｆ７）についても、前記第（１，３，５）バンドパスフィルタ回路（ｆ１，ｆ３，ｆ５）の場合と同様であり、第２フィルタ群２１についてもそれぞれ同様である。
【００２０】
第１フィルタ群２０の第３および第５減算回路１１（ｆ３）および１１（ｆ５）の出力が、第３および第５振幅・位相調整回路１５（ｆ３）および１５（ｆ５）を介して第１フィルタ群加算回路１６で加算されたときの出力の振幅と位相の出力特性は、図５（Ａ）（Ｂ）で示すとおりである。第３バンドパスフィルタ回路ｆ３と第５バンドパスフィルタ回路ｆ５のフートエリミネート化された出力が並列に重ね合わされるときの中間ｆ４においては、第３バンドパスフィルタ回路ｆ３と第５バンドパスフィルタ回路ｆ５の出力レベルは等しく、第３バンドパスフィルタ回路ｆ３側の位相は９０°遅れであり、第５バンドパスフィルタ回路ｆ５側の位相は９０°進んでいるため、前者と後者の位相差は１８０°となり、逆相関係で加算されることとなりｆ４の位置での出力はなく、位相差もない関係となる。第２フィルタ群２１の第４および第６減算回路１１（ｆ４）および１１（ｆ６）の出力が、第２フィルタ群加算回路１７で加算され出力されたときの振幅と位相の出力特性は、図５（Ｃ）（Ｄ）に示す。
【００２１】
第１フィルタ群加算回路１６と第２フィルタ群加算回路１７が加算される第１・第２フィルタ群加算回路１８の出力は、振幅については図５（Ａ）と図５（Ｃ）、および、位相については図５（Ｂ）と図５（Ｄ）がそれぞれ重ね合わされたものであり、その加算出力は図６（Ａ）（Ｂ）で示すとおりである。
第１フィルタ群２０の第３および第５バンドパスフィルタ回路ｆ３およびｆ５の中間は、第２フィルタ群２１の第４バンドパスフィルタ回路ｆ４の中心周波数ｆ４の位置であり、第２フィルタ群２１の第４および第６バンドパスフィルタ回路ｆ４およびｆ６の中間は、第１フィルタ群２０の第５バンドパスフィルタ回路ｆ５の中心周波数ｆ５の位置となる。すなわち、第１フィルタ群２０と第２フィルタ群２１が加算されるとき、第（３，４，５，６）バンドパスフィルタ回路（ｆ３，ｆ４，ｆ５，ｆ６）の中心周波数の位置ｆ３，ｆ４，ｆ５，ｆ６ではそれぞれ加算される相手方からの影響を大きく受けることのない出力が得られる。
【００２２】
第（１〜８）バンドパスフィルタ回路（ｆ１〜ｆ８）の第（１〜８）減算回路１１（ｆ１〜ｆ８）の出力段に、第（１〜８）振幅・位相調整回路１５（ｆ１〜ｆ８）を加えることによって、各バンドパスフィルタ回路ごとに独立的に振幅調整と位相調整とを行うことができるようになるため、広い周波数範囲をカバーする必要から多数のバンドパスフィルタを使用しなければならないような場合であっても、調整作業の煩雑とならない振幅・位相調整回路を得ることができる。
【００２３】
【発明の効果】
本発明によるフートエリミネートフィルタ回路によれば、通過帯域を狭めずに減衰特性を急峻にすることができるため、個々のバンドパスフィルタが分担して受け持つ帯域を越えて他の領域へまで大きく影響を及ぼすことのないフィルタを得ることができる。
また、本発明によるフートエリミネートフィルタ回路を振幅・位相調整回路に用いると、振幅波状特性と位相波状特性を有する出力波形の山、谷が逆の関係となる補完関係の与えられた２組のフィルタ群が、それぞれ個別に精密に調整を終えた後に加え合わされるときに、フィルタ群間の相互干渉によって合成出力に誤差分が大きく加わることがなくなるため、加算時に発生する調整精度の劣化を防止できる。
したがて、多数のバンドパスフィルタを用いた回路構成による場合であっても、精密な作業をすすめることができるため、フィルタ間の独立性の高い調整機能を確保しながら、広い周波数帯域にわたって振幅と位相の平坦特性を容易がつ効率よく得ることができる。
このように、本発明のフートエリミネートフィルタ回路によれば、信号や波形情報に特に高い精度の処理機能が求められる場合でも、これらの要望に応えられる優れた性能を有するフィルタを提供することが可能となる。
【図面の簡単な説明】
【図１】本発明のフートエリミネートフィルタ回路の基本構成を示すブロック図である。
【図２】振幅・位相調整装置のブロック図である。
【図３】（Ａ）第１、第２、第３バンドパスフィルタの動作を示す出力波形図である。
（Ｂ）第１、第２、第３バンドパスフィルタの動作を示す位相特性図である。
（Ｃ）フートエリミネートフィルタ回路の出力特性を示す図である。
（Ｄ）フートエリミネートフィルタ回路の位相特性を示す図
【図４】（Ａ）ハイパスフィルタを示す回路図である。
（Ｂ）ハイパスフィルタの位相特性を示す図である。
（Ｃ）ローパスフィルタを示す回路図である。
（Ｄ）ローパスフィルタの位相特性を示す図である。
【図５】（Ａ）第１フィルタ群の出力の波形図である。
（Ｂ）第１フィルタ群の位相の波形図である。
（Ｃ）第２フィルタ群の出力の波形図である。
（Ｄ）第２フィルタ群の位相の波形図である。
【図６】（Ａ）第１・第２フィルタ群加算回路の出力波形図である。
（Ｂ）第１・第２フィルタ群加算回路の位相特性図である。
【符号の説明】
１      第１バンドパスフィルタ回路
２      第２バンドパスフィルタ回路
３      第３バンドパスフィルタ回路
４      第１位相調整回路
５      第３位相調整回路
６      第１出力レベル調整回路
７      第３出力レベル調整回路
８      第１位相・出力レベル等化回路
９      第３位相・出力レベル等化回路
１０    第２加算回路
１１    第２減算回路
１２    入力端子
１３，１９  出力端子
１４    第２補正信号発生回路
ｆ１，ｆ２，ｆ３，・・・，ｆ８第１，２，３，…，８バンドパスフィルタ回路
１１（ｆ１〜ｆ８）  第（１〜８）減算回路
１４（ｆ１〜ｆ８）  第（１〜８）補正信号発生回路
１５（ｆ１〜ｆ８）  第（１〜８）振幅・位相調整回路
１６    第１フィルタ群加算回路
１７    第２フィルタ群加算回路
１８    第１・第２フィルタ群加算回路
２０    第１フィルタ群
２１    第２フィルタ群
【図１】
0004853846.tif 000002
【図２】
0004853846.tif 000003
【図３】
0004853846.tif 000004
【図４】
0004853846.tif 000005
【図５】
0004853846.tif 000006
【図６】
0004853846.tif 000007